(57)【要約】【課題】架線具における本体部材の嵌挿部が支柱に嵌挿された後でも、線状体の緊張度合いを容易に調整することができる架線具を提供することを課題とする。【解決手段】複数の支柱２・２・・・間に線状体３を架線するための架線具１であって、支柱２に嵌挿される嵌挿部１１とネジ部１２とを有する本体部材１０と、本体部材１０のネジ部１２が挿入される挿入孔２１を有し、挿入孔２１に本体部材１０のネジ部１２が挿入された状態で挿入孔２１の軸心に対して周方向に回転可能に構成される巻付部材２０と、本体部材１０のネジ部１２に螺合されることによって、巻付部材２０が回転しないように巻付部材２０を固定するナット部材３０と、を具備する。【選択図】図１
2011244772.tif 000002
【特許請求の範囲】
【請求項１】
複数の支柱間に線状体を架線するための架線具であって、
前記支柱に嵌挿される嵌挿部と、ネジ部と、を有する、本体部材と、
前記本体部材のネジ部が挿入される挿入孔を有し、前記挿入孔に前記本体部材のネジ部が挿入された状態で前記挿入孔の軸心に対して周方向に回転可能に構成される、巻付部材と、
前記本体部材のネジ部に螺合されることによって、前記巻付部材が回転しないように前記巻付部材を固定する、ナット部材と、
を具備する、架線具。
【請求項２】
前記巻付部材は、前記本体部材のネジ部が挿入された挿入部の開口部が本体部材の嵌挿部に当接可能に構成される、請求項１に記載の架線具。
【発明の詳細な説明】
【技術分野】
【０００１】
本発明は、架線具の技術に関する。
【背景技術】
【０００２】
従来、複数の支柱間に線状体を架線する架線具の技術は種々知られている（特許文献１参照）。
また、複数の支柱間に線状体を架線する架線具として、支柱に嵌挿される嵌挿部と線状体が巻付けられる巻付部とネジ部とを有する本体部材と、本体部材のネジ部に螺合されるナット部材と、を具備するものが公知となっている。
【０００３】
このような本体部材とナット部材とを具備する架線具は、例えば、獣が田畑や果樹園に侵入することを防止する電気柵や、家畜が牧場外に逃げ出すことを防止する電気柵に用いられる。
当該架線具は、田畑、果樹園、または牧場の周りに立てられた複数の支柱のそれぞれに本体部材の嵌挿部が嵌挿された状態で、本体部材のネジ部にナット部材が螺合されて、当該複数の支柱のそれぞれに固定される。そして、当該架線具は、それぞれの本体部材の巻付部に電線（線状体）が巻付けられて、複数の支柱間に電線（線状体）を架線する。
【先行技術文献】
【特許文献】
【０００４】
【特許文献１】特開２００８−１０４４４６号公報
【発明の概要】
【発明が解決しようとする課題】
【０００５】
しかしながら当該架線具の本体部材では、その巻付部と嵌挿部とネジ部とが一体的に構成されるため、本体部材の嵌挿部が支柱に嵌挿された後に作業者によって巻付部への線状体の巻付け回数を変更して、線状体の緊張度合いを調整することが困難である。
【０００６】
本発明は以上の如き状況に鑑みてなされたものであり、架線具における本体部材の嵌挿部が支柱に嵌挿された後でも、線状体の緊張度合いを容易に調整することができる架線具を提供することを課題とする。
【課題を解決するための手段】
【０００７】
本発明の解決しようとする課題は以上の如くであり、次にこの課題を解決するための手段を説明する。
【０００８】
即ち、請求項１においては、複数の支柱間に線状体を架線するための架線具であって、
前記支柱に嵌挿される嵌挿部と、ネジ部と、を有する、本体部材と、前記本体部材のネジ部が挿入される挿入孔を有し、前記挿入孔に前記本体部材のネジ部が挿入された状態で前記挿入孔の軸心に対して周方向に回転可能に構成される、巻付部材と、前記本体部材のネジ部に螺合されることによって、前記巻付部材が回転しないように前記巻付部材を固定する、ナット部材と、を具備するものである。
【０００９】
請求項２においては、前記巻付部材は、前記本体部材のネジ部が挿入された挿入部の開口部が本体部材の嵌挿部に当接可能に構成されるものである。
【発明の効果】
【００１０】
本発明の効果として、以下に示すような効果を奏する。
即ち、本発明によれば、架線具における本体部材の嵌挿部に支柱が嵌挿された後でも、線状体の緊張度合いを容易に調整することができる。
【図面の簡単な説明】
【００１１】
【図１】本発明の実施形態に係る架線具の全体的な構成を示した斜視図。
【図２】本発明の実施形態に係る架線具の使用状態を示した背面図。
【図３】本発明の実施形態に係る架線具を分解した状態を示した斜視図。
【図４】（ａ）本発明の実施形態に係る架線具の本体部材を示した平面図、（ｂ）同じく底面図、（ｃ）同じく側面図。
【図５】（ａ）本発明の実施形態に係る架線具の巻付部材を示した正面図、（ｂ）同じく背面図、（ｃ）同じく平面図、（ｄ）同じく側面図、（ｅ）Ａ−Ａ断面図。
【図６】（ａ）本発明の実施形態に係る架線具のナット部材を示した正面図、（ｂ）同じく平面図、（ｃ）Ｂ−Ｂ断面図。
【図７】（ａ）本発明の実施形態に係る架線具の本体部材を支柱に嵌挿する状態を示した平面図、（ｂ）同じく支柱に嵌挿している状態を示した平面図。
【図８】（ａ）本発明の実施形態に係る架線具に線状体を巻付ける状態を示した平面図、（ｂ）同じく線状体を巻付ける状態を示した平面図。
【図９】本発明の実施形態に係る架線具の断面図。
【発明を実施するための形態】
【００１２】
次に、図１から図９を用いて、発明の実施形態に係る架線具１を説明する。
【００１３】
架線具１は、図１に示すように、複数の支柱２・２・・・間に線状体３を架線するためのものであり、支柱２に固定される。
例えば、架線具１は、獣が田畑や果樹園に侵入することを防止する柵（電気柵やロープ柵）や、家畜が牧場外に逃げ出すことを防止する柵（電気柵やロープ柵）に用いられるものであり、田畑、果樹園、または牧場の周りに立てられた複数の支柱２・２・・・のそれぞれに固定される。そして、架線具１では、複数の支柱２・２・・・に固定されたそれぞれの架線具１に線状体３が巻付けられて、複数の支柱２・２・・・間に線状体３を架線する（図２参照）。
ここで、線状体３とは、前記複数の支柱２・２・・・間に架線されるものであり、通電されることを意図する電気柵用の電線や、必ずしも通電されることを意図するものではない不導体のロープ状のものを含む。
【００１４】
また、架線具１は、図３に示すように、合成樹脂素材からなる部材であり、本体部材１０と、巻付部材２０と、ナット部材３０とを具備する。
【００１５】
架線具１の本体部材１０は、図４に示すように、支柱２に嵌挿される嵌挿部１１と、ナット部材３０に螺合されるネジ部１２と、を有する。
架線具１の本体部材１０における嵌挿部１１には、貫通する孔が形成されるようにして支柱２が嵌挿される空間が形成される。架線具１の本体部材１０における嵌挿部１１は、筒状の部材の側面の一部を開放するような形状に形成されて、平面視または底面視略Ｃ字状に形成される（図４（ａ）または図４（ｂ）参照）。
前記架線具１の本体部材１０における嵌挿部１１の開放される部分を開放部１３と称する。
【００１６】
架線具１の本体部材１０におけるネジ部１２は、本体部材１０の嵌挿部１１の外側に延出するように、嵌挿部１１の外面に設けられる。架線具１の本体部材１０におけるネジ部１２は、本体部材１０の嵌挿部１１に嵌挿された支柱２の軸心方向に対して直交するように本体部材１０の嵌挿部１１の外側に延出する。
架線具１の本体部材１０におけるネジ部１２は、その外面に、ナット部材３０の雌ネジと螺合可能な雄ネジが形成される。架線具１の本体部材１０におけるネジ部１２の雄ネジは、ネジ部１２の先端部（ネジ部１２が延出する方向側の端部）においてネジ部１２が延出する方向に対して周方向の外面に形成される。
架線具１の本体部材１０におけるネジ部１２の基端部１４（ネジ部１２の嵌挿部１１に設けられる側の端部）は、前記ネジ部１２が延出する方向に対して周方向に突出して、ネジ部１２の他の部分に比べて前記周方向に大きくなるように形成される。また、架線具１の本体部材１０のネジ部１２の基端部１４は、本体部材１０の嵌挿部１１における幅Ｗよりも小さくなるように形成される。架線具１の本体部材１０の嵌挿部１１における幅Ｗとは、本体部材１０の嵌挿部１１に嵌挿された支柱２の軸心方向と、本体部材１０のネジ部１２が延出する方向と、に対して直交する方向における本体部材１０の嵌挿部１１の幅を示す（図４（ａ）または図４（ｂ）参照）。
架線具１の本体部材１０におけるネジ部１２の基端部１４は、ネジ部１２の基端側から先端側に向けて縮径されるように形成される。
【００１７】
架線具１の本体部材１０におけるネジ部１２は、第一ネジ部１２ａと第二ネジ部１２ｂとから構成される。
架線具１の本体部材１０におけるネジ部１２の第一ネジ部１２ａと第二ネジ部１２ｂとは、互いに平行するようにして、本体部材１０の嵌挿部１１の外側に延出する。
架線具１の本体部材１０におけるネジ部１２の第一ネジ部１２ａは、第一ネジ部１２ａの軸心方向の一端が本体部材１０の嵌挿部１１の開放部１３を構成する一方の端部に連接されて、本体部材１０の嵌挿部１１の開放部１３を構成する一方の端部から外側に延出する。
架線具１の本体部材１０におけるネジ部１２の第二ネジ部１２ｂは、第二ネジ部１２ｂの軸心方向の一端が本体部材１０の嵌挿部１１の開放部１３を構成する他方の端部に連接されて、本体部材１０の嵌挿部１１の開放部１３を構成する他方の端部から外側に延出する。
【００１８】
架線具１の本体部材１０の嵌挿部１１は、ネジ部１２の第一ネジ部１２ａと第二ネジ部１２ｂとが互いに離れるように第一ネジ部１２ａと第二ネジ部１２ｂとを広げて、本体部材１０の嵌挿部１１の開放部１３を構成する一方の端部と開放部１３を構成する他方の端部との間を広げるとともに、本体部材１０の嵌挿部１１の幅Ｗを広げて本体部材１０の嵌挿部１１の支柱２が嵌挿される空間を大きくすることができる可撓性を有するように構成される。
このように架線具１の本体部材１０が構成されることにより、例えば、前述のように架線具１の本体部材１０のネジ部１２における広げられた第一ネジ部１２ａと第二ネジ部１２ｂとの間に前記ネジ部１２の第一ネジ部１２ａと第二ネジ部１２ｂとで挟むように支柱２を配置し、本体部材１０の嵌挿部１１が前記支柱２に接近する方向に係る状態の本体部材１０を押込んでいって、本体部材１０の嵌挿部１１に支柱２を嵌挿することができる（図７参照）。
したがって、架線具１によれば、田畑等に立てられた支柱２の上方の先端が作業者の背丈より高いために、当該支柱２の先端側から、架線具１の本体部材１０の嵌挿部１１へ支柱２を嵌挿させることが困難な場合であっても、本体部材１０の嵌挿部１１に支柱２を容易に嵌挿させることができる。
【００１９】
架線具１の巻付部材２０は、図５に示すように、巻付部材２０の外面に線状体３が巻付けられる略筒状の部材であり、本体部材１０のネジ部１２が挿入される挿入孔２１を有する。
架線具１の巻付部材２０の挿入孔２１は、貫通するようにして構成され、本体部材１０のネジ部１２が挿入可能に構成される。架線具１の巻付部材２０の挿入孔２１への本体部材１０のネジ部１２の挿入は、本体部材１０のネジ部１２が延出する方向に沿っておこなわれる。
架線具１の巻付部材２０は、巻付部材２０の挿入孔２１に本体部材１０のネジ部１２が挿入された状態で、巻付部材２０の挿入孔２１の軸心に対して周方向に回転可能に構成される。そして、架線具１の巻付部材２０は、巻付部材２０の挿入孔２１の軸心に対して周方向に巻付部材２０が回転することによって、巻付部材２０の挿入孔２１の軸心に対して周方向に線状体３が巻付部材２０の外面に巻付け可能に構成される（図８（ｂ）参照）。
【００２０】
また、架線具１の巻付部材２０は、略円筒状に形成される。
架線具１の巻付部材２０では、巻付部材２０の挿入孔２１における一方の開口部が、他方の開口部に比べて大径となるように形成される。架線具１の巻付部材２０における挿入孔２１の大径の開口部を大径開口部２１ａと称する。架線具１の巻付部材２０における挿入孔２１の小径の開口部を小径開口部２１ｂと称する。
架線具１の巻付部材２０では、巻付部材２０の挿入孔２１における大径開口部２１ａ側から、巻付部材２０の挿入孔２１に、本体部材１０のネジ部１２が挿入される。そして、架線具１の巻付部材２０は、巻付部材２０における挿入孔２１の大径開口部２１ａから巻付部材２０の挿入孔２１に本体部材１０のネジ部１２が挿入された際に、巻付部材２０における挿入孔２１の内面の一部が、本体部材１０のネジ部１２の基端部１４（ネジ部１２の一部）に当接するように形成される。
【００２１】
架線具１の巻付部材２０は、巻付けられた線状体３が巻付部材２０から脱落することを防止するための溝２２を有する。
架線具１の巻付部材２０の溝２２は、巻付部材２０の外周面に設けられる複数の鍔２３と鍔２３との間に形成される。架線具１の巻付部材２０の複数の鍔２３・・・は、それぞれ、巻付部材２０の外周面に巻付部材２０の軸心と同一の軸心を有し、巻付部材２０の外周面から外側に突出するようにして形成される。
そして、架線具１では、巻付部材２０の鍔２３と鍔２３との間に形成される溝２２に、線状体３が巻付けられることにより、当該巻付けられた線状体３が巻付部材２０から脱落することを防止することができる（図８参照）。
なお、本実施形態における架線具１の巻付部材２０の鍔２３は、巻付部材２０の軸心に沿って３つ配置される。
【００２２】
架線具１のナット部材３０は、図６に示すように、本体部材１０のネジ部１２に螺合される部材であって、平面視楕円状且つ側面視横長の長方形状に形成される。架線具１のナット部材３０は、軸心の中央部に、本体部材１０のネジ部１２と螺合可能な雌ネジが形成される。
架線具１のナット部材３０は、巻付部材２０の挿入孔２１に本体部材１０のネジ部１２が挿入された状態で、ナット部材３０が本体部材１０のネジ部１２に螺合されていくことにより、巻付部材２０の挿入孔２１の内面を本体部材１０のネジ部１２の基端部１４に押圧して、または、巻付部材２０の大径開口部２１ａの端部で本体部材１０の嵌挿部１１に嵌挿された支柱２を押圧して、巻付部材２０の挿入孔２１の軸心に対して周方向に巻付部材２０が回転しないように、巻付部材２０を固定する。
ここで、前記前記巻付部材２０が回転しないように固定されている状態とは、巻付部材２０に巻付けられた線状体３が緊張し又は引っ張られることによっても、巻付部材２０の挿入孔２１の軸心に対して周方向に巻付部材２０が回転しない程度に固定されている状態を示す。
【００２３】
以上のように構成される架線具１を、支柱２に固定する動作について説明する。
まず、架線具１の本体部材１０の嵌挿部１１に支柱２を嵌挿させる。なおこの際、架線具１では、前述のようにその本体部材１０におけるネジ部１２の第一ネジ部１２ａと第二ネジ部１２ｂとの間を介して、本体部材１０の嵌挿部１１に支柱２を嵌挿することができる。
次に、係る状態の架線具１の本体部材１０のネジ部１２を、巻付部材２０の挿入孔２１における大径開口部２１ａ側から、巻付部材２０の挿入孔２１に挿入する。
そして、巻付部材２０の挿入孔２１に本体部材１０のネジ部１２を挿入させ、本体部材１０のネジ部１２とナット部材３０とを締める。
さらに、係る状態の架線具１の本体部材１０のネジ部１２にナット部材３０を螺合させていき、巻付部材２０の挿入孔２１の内面を本体部材１０のネジ部１２の基端部１４に押圧して、または、巻付部材２０の大径開口部２１ａの端部で本体部材１０の嵌挿部１１に嵌挿された支柱２を押圧して、巻付部材２０の挿入孔２１の軸心に対して周方向に巻付部材２０が回転しないように巻付部材２０を固定するとともに、架線具１を支柱２に固定する。
【００２４】
また、架線具１では、その本体部材１０のネジ部１２とナット部材３０との締め度合いをゆるめて前記巻付部材２０による押圧を解除することにより、前記巻付部材２０の周方向への回転の固定を解除することができる。
このため、架線具１によれば、その本体部材１０の嵌挿部１１に支柱２が嵌挿された後でも、前記回転の固定が解除された架線具１の巻付部材２０を、巻付部材２０の挿入孔２１の軸心に対して周方向に回転させて、架線具１を中心にして右方または左方の線状体３のうちいずれか一方における巻付部材２０の外面に巻付けられた線状態を長くするとともに、前記架線具１を中心にして右方または左方の線状体３のうちいずれか他方の前記線状体３を短くすることができる（図８参照）。
したがって、架線具１によれば、その本体部材１０の嵌挿部１１に支柱２が嵌挿された後でも、線状体３の緊張度合いを容易に調整することができる。
【００２５】
また、図４または図７に示すように、架線具１の本体部材１０におけるネジ部１２の第一ネジ部１２ａおよび第二ネジ部１２ｂの先端（第一ネジ部１２ａおよび第二ネジ部１２ｂが延出する方向の端部）には、それぞれ案内部１５ａ・１５ｂが形成される。
架線具１の本体部材１０におけるネジ部１２の第一ネジ部１２ａの案内部１５ａおよび第二ネジ部１２ｂの案内部１５ｂは、前記本体部材１０のネジ部１２の第一ネジ部１２ａと第二ネジ部１２ｂとの間を介して本体部材１０の嵌挿部１１に支柱２が嵌挿される際の動作、を容易にするためのものである。
【００２６】
架線具１の本体部材１０におけるネジ部１２の第一ネジ部１２ａの案内部１５ａは、第一ネジ部１２ａの先端部における第二ネジ部１２ｂと対向する側の面を含む角部が切欠かかれるようにして、形成される。また、架線具１の本体部材１０におけるネジ部１２の第一ネジ部１２ａの案内部１５ａは、第一ネジ部１２ａの先端部における第二ネジ部１２ｂと対向する側の面と反対側の面に至ように、第一ネジ部１２ａの先端部における第二ネジ部１２ｂと対向する側の面を含む角部から斜めに切欠かれるようにして形成される。
架線具１の本体部材１０におけるネジ部１２の第二ネジ部１２ｂの案内部１５ｂは、第二ネジ部１２ｂの先端部における第一ネジ部１２ａと対向する側の面を含む角部が切欠かかれるようにして、形成される。また、架線具１の本体部材１０におけるネジ部１２の第二ネジ部１２ｂの案内部１５ｂは、第二ネジ部１２ｂの先端部における第一ネジ部１２ａと対向する側の面を含む角部から斜めに切欠かれるようにして形成される。
このように、架線具１の本体部材１０におけるネジ部１２の第一ネジ部１２ａの案内部１５ａと第二ネジ部１２ｂの案内部１５ｂが形成されることにより、ネジ部１２の第一ネジ部１２ａと第二ネジ部１２ｂとが平行するように位置した際に、ネジ部１２の先端部が略Ｖ字状に凹むように構成される。
【００２７】
そして、このように架線具１の本体部材１０が構成されることにより、本体部材１０におけるネジ部１２の第一ネジ部１２ａの先端と第二ネジ部１２ｂの先端とを支柱２に当接させて（図７（ａ）参照）、本体部材１０の嵌挿部１１が前記支柱２に接近する方向に係る状態の本体部材１０を押込むことで、ネジ部１２における第一ネジ部１２ａと第二ネジ部１２ｂとの間を広げて、ネジ部１２の第一ネジ部１２ａと第二ネジ部１２ｂとで挟むように支柱２を配置することができる（図７（ｂ）参照）。
このようにして、架線具１の本体部材１０におけるネジ部１２の第一ネジ部１２ａと第二ネジ部１２ｂとの間を介して嵌挿部１１に支柱２に嵌挿される際の動作、を容易にすることができる。
したがって、架線具１によれば、田畑等に立てられた支柱２の上方の先端が作業者の背丈より高いために、当該支柱２の先端側から、架線具１の本体部材１０の嵌挿部１１へ支柱２を嵌挿させることが困難な場合であっても、さらに容易に本体部材１０の嵌挿部１１に支柱２を嵌挿させることができる。
【００２８】
架線具１の巻付部材２０の３つの鍔２３・２３・２３のうち中央の鍔２３Ａは、図５または図８に示すように、その外縁の一部が切欠かれて形成される切欠部２４を有する。架線具１の巻付部材２０における中央の鍔２３Ａの切欠部２４は、前方または後方の鍔２３・２３と中央の鍔２３Ａとの間の溝２２に線状体３を巻付ける際に、巻付部材２０の中央の鍔２３Ａの切欠部２４に線状体３を引っ掛けて、線状体３を固定するためのものである。
架線具１の巻付部材２０における中央の鍔２３Ａの切欠部２４は、鍔２３Ａの周方向において対称となる位置に２つ形成される。このように切欠部２４が２つ形成されて、架線具１の巻付部材２０における中央の鍔２３は、円形状のものが２つに分割されたように構成される。
例えば、図８（ａ）に示すように、線状体３を、架線具１の巻付部材２０における図８（ａ）に示す下方の鍔２３と中央の鍔２３Ａのとの間の溝２２に沿わせた後、中央の鍔２３Ａにおける２つの切欠部２４のうち一方の切欠部２４を経由させて、図８（ａ）に示す上方の鍔２３と中央の鍔２３Ａとの間の溝２２に巻付ける。
このように、架線具１の巻付部材２０における中央の鍔２３Ａの切欠部２４を経由させて線状体３が巻付部材２０に巻付けられることにより、線状体３は、巻付部材２０の中央の鍔２３Ａの切欠部２４に引っ掛けられて、巻付部材２０に固定される。
そして、このように線状体３が架線具１の巻付部材２０の中央の鍔２３Ａの切欠部２４に引っ掛けられて固定された巻付部材２０を、例えば図８（ｂ）に示すように、線状体３の巻付け方向と同一方向に回転させることによって、架線具１を中心にして右方の線状体３を長くするとともに、架線具１を中心にして左方の線状体３を短くすることができる。
このため、架線具１によれば、その本体部材１０の嵌挿部１１に支柱２が嵌挿された後でも、前記回転の固定が解除された架線具１の巻付部材２０を、巻付部材２０の挿入孔２１の軸心に対して周方向に回転させて、架線具１を中心にして右方または左方の線状体３のうちいずれか一方における巻付部材２０の外面に巻付けられた線状態を長くするとともに、前記架線具１を中心にして右方または左方の線状体３のうちいずれか他方の前記線状体３を短くすることができる。
したがって、架線具１によれば、その本体部材１０の嵌挿部１１に支柱２が嵌挿された後でも、より確実に線状体３の緊張度合いを容易に調整することができる。
【００２９】
また、架線具１の巻付部材２０は、図９に示すように、巻付部材２０における挿入孔２１の大径開口部２１ａから巻付部材２０の挿入孔２１に本体部材１０のネジ部１２が挿入された際に、本体部材１０の嵌挿部１１の支柱２が嵌挿される空間に、巻付部材２０における挿入孔２１の大径開口部２１ａが至ることができるように、形成される。
このため、架線具１では、巻付部材２０の挿入孔２１挿入された本体部材１０のネジ部１２にナット部が螺合される際に、巻付部材２０の大径開口部２１ａ側の端部で、本体部材１０の嵌挿部１１に嵌挿された支柱２を押圧することができる。
したがって、架線具１によれば、巻付部材２０の大径開口部２１ａ側の端部で、本体部材１０の嵌挿部１１に嵌挿された支柱２を押圧して、架線具１を支柱２の所望の位置に確実に固定することができる。
また、架線具１によれば、本体部材１０の嵌挿部１１に嵌挿された支柱２が細くて、本体部材１０の嵌挿部１１の内面に支柱２の外面が当接しないような場合であっても、巻付部材２０の大径開口部２１ａ側の端部で、本体部材１０の嵌挿部１１に嵌挿された支柱２を押圧することができる場合には、架線具１を支柱２に固定することができる。
【００３０】
また、架線具１の巻付部材２０における挿入孔２１は、略テーパ状に形成される。
架線具１の巻付部材２０における挿入孔２１は、図５（ｅ）または図９に示すように、挿入孔２１の大径開口部２１ａから、挿入孔２１における軸心方向の中央部よりもやや挿入孔２１の小径開口部２１ｂ側の部分にかけて縮径するように形成される。
そして、図９に示すように、架線具１の巻付部材２０は、巻付部材２０における挿入孔２１の大径開口部２１ａから巻付部材２０の挿入孔２１に本体部材１０のネジ部１２が挿入された際に、巻付部材２０における挿入孔２１の縮径する部分の少なくとも一部が、本体部材１０のネジ部１２の基端部１４（ネジ部１２の一部）に当接するように形成される。
このため、架線具１では、巻付部材２０の挿入孔２１挿入された本体部材１０のネジ部１２にナット部が螺合される際に、本体部材１０のネジ部１２の第一ネジ部１２ａと第二ネジ部１２ｂとを互いに近づく方向に次第に締め付けていき、本体部材１０の嵌挿部１１を、嵌挿部１１に嵌挿された支柱２側に締め付けることができる。
したがって、架線具１によれば、本体部材１０の嵌挿部１１を、嵌挿部１１に嵌挿された支柱２側に締め付けて、架線具１を支柱２の所望の位置に確実に固定することができる。
【００３１】
また、架線具１は、巻付部材２０の挿入孔２１挿入された本体部材１０のネジ部１２にナット部が螺合される際に、巻付部材２０の大径開口部２１ａ側の端部が、本体部材１０の嵌挿部１１に当接可能に構成してもよい。
そして、架線具１の巻付部材２０は、図９に示すように、挿入孔２１の大径開口部２１ａの直径が本体部材１０の嵌挿部１１の幅Ｗよりも小さく形成される。架線具１の巻付部材２０は、巻付部材２０における挿入孔２１の大径開口部２１ａから巻付部材２０の挿入孔２１に本体部材１０のネジ部１２が挿入された際に、本体部材１０の嵌挿部１１の一部が、巻付部材２０の挿入孔２１内に配置可能に形成される。
このように架線具１を構成することにより、本体部材１０の嵌挿部１１の幅Ｗが小さくなる方向に本体部材１０の嵌挿部１１を次第に締め付けていき、本体部材１０の嵌挿部１１を、嵌挿部１１に嵌挿された支柱２側に締め付けることができる。
したがって、架線具１によれば、本体部材１０の嵌挿部１１を、嵌挿部１１に嵌挿された支柱２側に締め付けて、架線具１を支柱２の所望の位置に確実に固定することができる。
【符号の説明】
【００３２】
１  架線具
２  支柱
３  線状体
１０  本体部材
１１  嵌挿部
１２  ネジ部
２０  巻付部材
２１  挿入孔
３０  ナット部材
【図１】
2011244772.tif 000003
【図２】
2011244772.tif 000004
【図３】
2011244772.tif 000005
【図４】
2011244772.tif 000006
【図５】
2011244772.tif 000007
【図６】
2011244772.tif 000008
【図７】
2011244772.tif 000009
【図８】
2011244772.tif 000010
【図９】
2011244772.tif 000011